【手続補正書】
【提出日】平成23年1月24日(2011.1.24)
【手続補正１】
【補正対象書類名】明細書
【補正対象項目名】発明の名称
【補正方法】変更
【補正の内容】
【発明の名称】表示パネル
【手続補正２】
【補正対象書類名】特許請求の範囲
【補正対象項目名】全文
【補正方法】変更
【補正の内容】
【特許請求の範囲】
【請求項１】
第１の画像を表示する第１サブ画素と第２の画像を表示する第２サブ画素とが交互に隣接配置された合成画像が入力される表示基板と、前記入力された合成画像のうち前記第１の画像と前記第２の画像とを夫々異なる方向に出射させて視方向を規制するスリットを有した遮光バリアと、を有する表示パネルであって、
前記表示基板の前記第１サブ画素及び前記第２サブ画素には、光を透過する表示部分と、光を遮光する非表示部分と、がそれぞれ備えられており、
前記スリットは、平面視において、前記第１サブ画素の前記表示部分と前記第２サブ画素の表示部分とを有して前記第１サブ画素と前記第２サブ画素の間に対応した位置に配置されており、
視認される前記第１の画像の輝度と前記第２の画像の輝度とが等しくなるように、
平面視において、一つの前記スリット内での前記第１サブ画素の前記表示部分の開口率と前記第２サブ画素の前記表示部分の開口率とを同じに設定することを特徴とする表示パネル。
【請求項２】
第１の画像を表示する第１サブ画素と第２の画像を表示する第２サブ画素とが交互に隣接配置された合成画像が入力される表示基板と、前記入力された合成画像のうち前記第１の画像と前記第２の画像とを夫々異なる方向に出射させて視方向を規制する視方向規制基板と、を有する表示パネルであって、
前記第１サブ画素及び前記第２サブ画素には、光を透過する表示部分と、光を遮光する非表示部分と、がそれぞれ備えられており、前記第１サブ画素の前記表示部分の形状と第２サブ画素の前記表示部分の形状は、線対称となる形状に設定されていることを特徴とする表示パネル。
【請求項３】
前記第１、第２サブ画素の前記非表示部分には、少なくともスイッチング素子形成部と、前記スイッチング素子の電極と画素電極とを接続するコンタクトホール形成部と、のいずれか設けられており、
前記第１サブ画素の前記コンタクトホール形成部、あるいは前記スイッチング素子形成部及びコンタクトホール形成部と、前記第２サブ画素の前記コンタクトホール形成部、あるいは前記スイッチング素子形成部及びコンタクトホール形成部とは互いに線対称となる位置に配設されていることを特徴とする請求項２に記載の表示パネル。
【請求項４】
前記第１サブ画素及び前記第２サブ画素の前記非表示部分の遮光膜は、線対称となるような形状で形成されていることを特徴とする請求項２に記載の表示パネル。
【請求項５】
前記視方向規制基板は、前記第１の画像と前記第２の画像とをスリットにより夫々異なる方向に出射可能に遮光する遮光バリアを備えた遮光バリア基板からなり、前記スリットは、前記第１サブ画素と前記第２サブ画素の間に対応した位置に配置されていることを特徴とする請求項２に記載の表示パネル。
【請求項６】
前記視方向規制基板は、前記第１の画像と前記第２の画像とを夫々異なる方向に分割集光するレンチキュラーレンズからなることを特徴とする請求項２に記載の表示パネル。
【請求項７】
第１の画像を表示する第１サブ画素、第２の画像を表示する第２サブ画素及び第３の画像を表示する第３サブ画素がゲートライン方向に順次隣接配置された合成画像が入力される表示基板と、前記入力された合成画像のうち前記第１の画像、前記第２の画像及び前記第３の画像を夫々異なる方向に出射させて視方向を規制する視方向規制基板と、を有する表示パネルであって、
前記第１サブ画素〜前記第３サブ画素には、光を透過する表示部分と、光を遮光する非表示部分と、がそれぞれ備えられており、前記第１サブ画素の前記表示部分の形状と第３サブ画素の前記表示部分の形状は、線対称となる形状に設定されていることを特徴とする表示パネル。
【請求項８】
前記第１〜第３サブ画素の非表示部分には、少なくともスイッチング素子形成部と、前記スイッチング素子の電極と画素電極とを接続するコンタクトホール形成部と、のいずれかが設けられており、
前記第１サブ画素の前記コンタクトホール形成部、あるいは前記スイッチング素子形成部及びコンタクトホール形成部と、前記第３サブ画素の前記コンタクトホール形成部、あるいは前記スイッチング素子形成部及びコンタクトホール形成部とは互いに線対称となる位置に配設されていることを特徴とする請求項７に記載の表示パネル。
【請求項９】
前記第１サブ画素及び第３サブ画素の表示部分が互いに線対称となるように前記非表示部分の遮光膜が形成されることを特徴とする請求項８に記載の表示パネル。
【請求項１０】
前記視方向規制基板は、前記第１〜第３の画像をスリットにより夫々異なる方向に出射可能に遮光する遮光バリアを備えた遮光バリア基板からなり、前記スリットは、前記第２サブ画素上に位置されていることを特徴とする請求項７に記載の表示パネル。
【請求項１１】
前記視方向規制基板は、前記第１〜第３の画像を夫々異なる方向に分割集光するレンチキュラーレンズからなることを特徴とする請求項７に記載の表示パネル。
【請求項１２】
第１の画像を表示する第１サブ画素と第２の画像を表示する第２サブ画素とが交互に隣接配置された合成画像が入力される表示基板と、前記入力された合成画像のうち前記第１の画像と前記第２の画像とをスリットにより夫々異なる方向に出射可能に遮光する遮光バリアを備えた遮光バリア基板と、を有する表示パネルであって、
前記第１サブ画素及び前記第２サブ画素には、光を透過する表示部分と、光を遮光する非表示部分と、がそれぞれ備えられており、前記第１サブ画素と前記第２サブ画素の表示部分は、上部幅と下部幅とが異なった同一形状とされ、前記遮光バリア基板の前記スリットは、前記第１サブ画素と前記第２サブ画素との間に対応した位置に配置されていると共に、前記スリットの上部幅ａと、前記第１サブ画素及び第２サブ画素の前記表示部分の上部幅ａ'、及び前記スリットの下部幅ｂと、前記第１サブ画素及び第２サブ画素の表示部分の下部幅ｂ'と、が以下の関係を有していることを特徴とする表示パネル。
ａ：ａ'＝ｂ：ｂ'
【請求項１３】
第１の画像を表示する第１サブ画素、第２の画像を表示する第２サブ画素及び第３の画像を表示する第３サブ画素がゲートライン方向に順次隣接配置された合成画像が入力される表示基板と、前記入力された合成画像のうち前記第１〜第３の画像をスリットにより夫々異なる方向に出射可能に遮光する遮光バリアを備えた遮光バリア基板を有する表示パネルであって、
前記第１サブ画素及び前記第２サブ画素には、光を透過する表示部分と、光を遮光する非表示部分と、がそれぞれ備えられており、前記第１サブ画素と前記第３サブ画素の表示部分は、上部幅と下部幅とが異った同一形状とされ、前記遮光バリア基板のスリットは、前記第２サブ画素上に位置していると共に、前記スリットの上部幅ｃと、前記第１サブ画素及び第３サブ画素の前記表示部分の上部幅ｃ'、及び前記スリットの下部幅ｄと、前記第１サブ画素及び第３サブ画素の前記表示部分の下部幅ｄ'と、が以下の関係を有していることを特徴とする表示パネル。
ｃ：ｃ'＝ｄ：ｄ'
【手続補正３】
【補正対象書類名】明細書
【補正対象項目名】００１２
【補正方法】変更
【補正の内容】
【００１２】
上記目的を達成するために、本発明の表示パネルは、第１の画像を表示する第１サブ画素と第２の画像を表示する第２サブ画素とが交互に隣接配置された合成画像が入力される表示基板と、前記入力された合成画像のうち前記第１の画像と前記第２の画像とを夫々異なる方向に出射させて視方向を規制するスリットを有した遮光バリアと、を有する表示パネルであって、前記表示基板の前記第１サブ画素及び前記第２サブ画素には、光を透過する表示部分と、光を遮光する非表示部分と、がそれぞれ備えられており、前記スリットは、平面視において、前記第１サブ画素の前記表示部分と前記第２サブ画素の表示部分とを有して前記第１サブ画素と前記第２サブ画素の間に対応した位置に配置されており、視認される前記第１の画像の輝度と前記第２の画像の輝度とが等しくなるように、平面視において、一つの前記スリット内での前記第１サブ画素の前記表示部分の開口率と前記第２サブ画素の前記表示部分の開口率とを同じに設定することを特徴とする。
また、本発明の表示パネルは、第１の画像を表示する第１サブ画素と第２の画像を表示する第２サブ画素とが交互に隣接配置された合成画像が入力される表示基板と、前記入力された合成画像のうち前記第１の画像と前記第２の画像とを夫々異なる方向に出射させて視方向を規制する視方向規制基板と、を有する表示パネルであって、前記第１サブ画素及び前記第２サブ画素には、光を透過する表示部分と、光を遮光する非表示部分と、がそれぞれ備えられており、前記第１サブ画素の前記表示部分の形状と第２サブ画素の前記表示部分の形状は、線対称となる形状に設定されていることを特徴とする。
【手続補正４】
【補正対象書類名】明細書
【補正対象項目名】００１３
【補正方法】変更
【補正の内容】
【００１３】
上記表示パネルにおいては、異なる画像を表示する第１サブ画素及び第２サブ画素の中の画像の表示に寄与する部分である表示部分の形状を、互いに線対称となるようにしている。そして、これら第１、第２サブ画素を透過して照射される光は視方向規制基板によって所定の方向、例えば左右に視方向が規制される。このような構成により、従来の表示パネルでは第１、第２のサブ画素の表示部分の形状に対称性がなかったために第１の画像と第２の画像とを表示パネルの中心線から等角度の視方向に規制しても、その輝度分布が左右いずれかの方向に偏ってしまう傾向にあったが、この問題を解消することが可能となる。すなわち、従来はスリットを透過する光の量が、サブ画素内の表示部分の面積の多い方向に偏る傾向があったが、表示部分の形状を線対称となるように設定したため、このような偏りが発生することがなくなり、左右均等な輝度分布で２つの画像を表示することができるようになる。
【手続補正５】
【補正対象書類名】明細書
【補正対象項目名】００１４
【補正方法】変更
【補正の内容】
【００１４】
また、上記表示パネルにおいて、前記第１、第２サブ画素の前記非表示部分には、少なくともスイッチング素子形成部と、前記スイッチング素子の電極と画素電極とを接続するコンタクトホール形成部と、のいずれか設けられており、前記第１サブ画素の前記コンタクトホール形成部、あるいは前記スイッチング素子形成部及びコンタクトホール形成部と、前記第２サブ画素の前記コンタクトホール形成部、あるいは前記スイッチング素子形成部及びコンタクトホール形成部とは互いに線対称となる位置に配設されていると好ましい。
【手続補正６】
【補正対象書類名】明細書
【補正対象項目名】００１６
【補正方法】変更
【補正の内容】
【００１６】
また、上記表示パネルにおいて、前記第１サブ画素及び前記第２サブ画素の前記非表示部分の遮光膜は、線対称となるような形状で形成されている好ましい。
【手続補正７】
【補正対象書類名】明細書
【補正対象項目名】００１８
【補正方法】変更
【補正の内容】
【００１８】
また、上記表示パネルにおいて、前記視方向規制基板は、前記第１の画像と前記第２の画像とをスリットにより夫々異なる方向に出射可能に遮光する遮光バリアを備えた遮光バリア基板からなり、前記スリットは、前記第１サブ画素と前記第２サブ画素の間に対応した位置に配置されていると好ましい。
【手続補正８】
【補正対象書類名】明細書
【補正対象項目名】００２０
【補正方法】変更
【補正の内容】
【００２０】
また、上記表示パネルにおいて、前記視方向規制基板は、前記第１の画像と前記第２の画像とを夫々異なる方向に分割集光するレンチキュラーレンズからなると好ましい。
【手続補正９】
【補正対象書類名】明細書
【補正対象項目名】００２２
【補正方法】変更
【補正の内容】
【００２２】
本発明の表示パネルは、第１の画像を表示する第１サブ画素、第２の画像を表示する第２サブ画素及び第３の画像を表示する第３サブ画素がゲートライン方向に順次隣接配置された合成画像が入力される表示基板と、前記入力された合成画像のうち前記第１の画像、前記第２の画像及び前記第３の画像を夫々異なる方向に出射させて視方向を規制する視方向規制基板と、を有する表示パネルであって、前記第１サブ画素〜前記第３サブ画素には、光を透過する表示部分と、光を遮光する非表示部分と、がそれぞれ備えられており、前記第１サブ画素の前記表示部分の形状と第３サブ画素の前記表示部分の形状は、線対称となる形状に設定されていることを特徴とする。
【手続補正１０】
【補正対象書類名】明細書
【補正対象項目名】００２３
【補正方法】変更
【補正の内容】
【００２３】
上記表示パネルにおいては、３つの画像をそれぞれ表示する、ゲートライン方向に順次配列された第１〜第３のサブ画素のうち、第１及び第３サブ画素の表示部分を互いに線対称となる形状としている。したがって、所定の方向、例えば左右及び中央の３方向にそれぞれその視方向が規制される第１〜第３サブ画素を透過した光のうち、特に左右に視方向が規制される第１、第３サブ画素からの光の輝度分布に偏りが生じることなく、均等な輝度分布での表示を行うことができるようになる。
【手続補正１１】
【補正対象書類名】明細書
【補正対象項目名】００２４
【補正方法】変更
【補正の内容】
【００２４】
また、上記表示パネルにおいて、前記第１〜第３サブ画素の非表示部分には、少なくともスイッチング素子形成部と、前記スイッチング素子の電極と画素電極とを接続するコンタクトホール形成部と、のいずれかが設けられており、前記第１サブ画素の前記コンタクトホール形成部、あるいは前記スイッチング素子形成部及びコンタクトホール形成部と、前記第３サブ画素の前記コンタクトホール形成部、あるいは前記スイッチング素子形成部及びコンタクトホール形成部とは互いに線対称となる位置に配設されていると好ましい。
【手続補正１２】
【補正対象書類名】明細書
【補正対象項目名】００２６
【補正方法】変更
【補正の内容】
【００２６】
また、上記表示パネルにおいて、前記第１サブ画素及び第３サブ画素の表示部分が互いに線対称となるように前記非表示部分の遮光膜が形成されると好ましい。
【手続補正１３】
【補正対象書類名】明細書
【補正対象項目名】００２８
【補正方法】変更
【補正の内容】
【００２８】
また、上記表示パネルにおいて、前記視方向規制基板は、前記第１〜第３の画像をスリットにより夫々異なる方向に出射可能に遮光する遮光バリアを備えた遮光バリア基板からなり、前記スリットは、前記第２サブ画素上に位置されていると好ましい。
【手続補正１４】
【補正対象書類名】明細書
【補正対象項目名】００３０
【補正方法】変更
【補正の内容】
【００３０】
また、上記表示パネルにおいて、前記視方向規制基板は、前記第１〜第３の画像を夫々異なる方向に分割集光するレンチキュラーレンズからなると好ましい。
【手続補正１５】
【補正対象書類名】明細書
【補正対象項目名】００３２
【補正方法】変更
【補正の内容】
【００３２】
本発明の表示パネルは、第１の画像を表示する第１サブ画素と第２の画像を表示する第２サブ画素とが交互に隣接配置された合成画像が入力される表示基板と、前記入力された合成画像のうち前記第１の画像と前記第２の画像とをスリットにより夫々異なる方向に出射可能に遮光する遮光バリアを備えた遮光バリア基板と、を有する表示パネルであって、前記第１サブ画素及び前記第２サブ画素には、光を透過する表示部分と、光を遮光する非表示部分と、がそれぞれ備えられており、前記第１サブ画素と前記第２サブ画素の表示部分は、上部幅と下部幅とが異なった同一形状とされ、前記遮光バリア基板の前記スリットは、前記第１サブ画素と前記第２サブ画素との間に対応した位置に配置されていると共に、前記スリットの上部幅ａと、前記第１サブ画素及び第２サブ画素の前記表示部分の上部幅ａ'、及び前記スリットの下部幅ｂと、前記第１サブ画素及び第２サブ画素の表示部分の下部幅ｂ'と、が以下の関係を有していることを特徴とする。
ａ：ａ'＝ｂ：ｂ'
【手続補正１６】
【補正対象書類名】明細書
【補正対象項目名】００３３
【補正方法】変更
【補正の内容】
【００３３】
上記表示パネルは、第１、第２サブ画素の表示部分が上部幅と下部幅が異なる同一形状であるとき、遮光バリア基板のスリットを両サブ画素間に配設し、さらには、スリットの上部幅と下部幅とを、第１、第２サブ画素の表示部分の上部幅と下部幅とに合わせて調整している。このような構成により、スリットが表示部分の形状に合わせられているのでスリットを介して照射される光は均一な輝度の光となる。すなわち、従来の表示パネルにおいては、第１、第２のサブ画素の表示部分の形状とは無関係に、例えば矩形状に設けられたスリットを用いて視方向を規制するため、表示部分の面積がサブ画素内の左右間あるいは上下間でバラツキが発生することがある。しかしながら、本発明の表示パネルによれば、スリットの形状を第１、第２サブ画素の表示部分に合わせているので、スリットを介して照射される光にバラツキが発生することがなくなり、左右均等な輝度分布で２つの画像を表示することができるようになる。
【手続補正１７】
【補正対象書類名】明細書
【補正対象項目名】００３４
【補正方法】変更
【補正の内容】
【００３４】
本発明の表示パネルは、第１の画像を表示する第１サブ画素、第２の画像を表示する第２サブ画素及び第３の画像を表示する第３サブ画素がゲートライン方向に順次隣接配置された合成画像が入力される表示基板と、前記入力された合成画像のうち前記第１〜第３の画像をスリットにより夫々異なる方向に出射可能に遮光する遮光バリアを備えた遮光バリア基板を有する表示パネルであって、前記第１サブ画素及び前記第２サブ画素には、光を透過する表示部分と、光を遮光する非表示部分と、がそれぞれ備えられており、前記第１サブ画素と前記第３サブ画素の表示部分は、上部幅と下部幅とが異った同一形状とされ、前記遮光バリア基板のスリットは、前記第２サブ画素上に位置していると共に、前記スリットの上部幅ｃと、前記第１サブ画素及び第３サブ画素の前記表示部分の上部幅ｃ'、及び前記スリットの下部幅ｄと、前記第１サブ画素及び第３サブ画素の前記表示部分の下部幅ｄ'と、が以下の関係を有していることを特徴とする。
ｃ：ｃ'＝ｄ：ｄ'
【手続補正１８】
【補正対象書類名】明細書
【補正対象項目名】００３５
【補正方法】変更
【補正の内容】
【００３５】
上記表示パネルは、３つのサブ画素のうち、少なくとも第１、第３サブ画素の表示部分が上部幅と下部幅が異なる同一形状であるとき、遮光バリア基板のスリットを両サブ画素間に配設し、さらには、スリットの上部幅と下部幅とを、第１、第３サブ画素の表示部分の上部幅と下部幅とに合わせて調整している。このような構成により、スリットが表示部分の形状に合わせられているので、スリットを介して照射される光は均一な輝度の光となり、左右均等な輝度分布で３つの画像のうちの２つを表示することができるようになる。なお、残り１つのサブ画素である第２サブ画素についても、第１、第３サブ画素の表示部分と同一形状の表示部分を備えるようになせば、輝度の統一化を図ることができる。